(57)【特許請求の範囲】
【請求項１】
一対の側壁４周縁部間を帯状連結壁５で連結して内部を粒状物収納部Ａとするとともに、頂部の連結壁５部分に帯状の窓孔６を穿設してなるケース本体２と、窓孔６後縁部の連結壁５に後縁を回動可能に連結するとともに、窓孔６部分の各側壁４上端間に嵌合させて窓孔６を開閉可能に閉塞し、且つ、ケース本体内と連通する下端及び一側端開口の皿状をなす取出口７を側部に設けてなる有底の蓋体３とを備え、蓋体３より垂設した弾性板14の側面下部に突設した摺動突起15を、ケース本体側壁４に形成した案内溝16に摺動上昇可能に嵌合させた粒状物ケースであって、閉蓋状態の摺動突起15の垂下位置に対応した下端部より上方へ蛇行状に上昇し、上端部を摺動突起15の仮想回動軌跡上に位置させた案内溝16を設けて、閉蓋状態及び開蓋状態で弾性板14の変形がなく、開蓋途中で摺動突起15を介して弾性板の変形が生じる如く形成し、且つ、開蓋状態で取出口７の開口状態を維持可能に構成したことを特徴とする粒状物ケース。
【請求項２】
一対の側壁４周縁部間を帯状連結壁５で連結して内部を粒状物収納部Ａとするとともに、頂部の連結壁５部分に帯状の窓孔６を穿設し、且つ、側壁４上部に取出口7aを穿設してなるケース本体２と、窓孔６後縁部の連結壁５に後縁を回動可能に連結するとともに、窓孔６部分の各側壁４上端間に嵌合させて窓孔６を開閉可能に閉塞し、且つ、取出口7aに離脱可能に嵌合する係合突起19を側面より突設した有底の蓋体３とを備え、蓋体３より垂設した弾性板14の側面下部に突設した摺動突起15を、ケース本体側壁４に形成した案内溝16に摺動上昇可能に嵌合させた粒状物ケースであって、閉蓋状態の摺動突起15の垂下位置に対応した下端部より上方へ蛇行状に上昇し、上端部を摺動突起15の仮想回動軌跡上に位置させた案内溝16を設けて、閉蓋状態及び開蓋状態で弾性板14の変形がなく、開蓋途中で摺動突起15を介して弾性板の変形が生じる如く形成し、且つ、開蓋状態で取出口7aの開口状態を維持可能に構成するとともに、開蓋状態で係合突起19縁部がケース本体上面に係合する如く構成したことを特徴とする粒状物ケース。
【発明の詳細な説明】
【０００１】
【発明の属する技術分野】
本発明は粒状物ケースに関する。
【０００２】
【従来の技術】
粒状物ケースとして、一対の側板周縁部間を帯状の連結壁で連結して内部を粒状物収納部とするとともに、頂部の連結壁部分に帯状の窓孔を穿設してなるケース本体と、窓孔後縁部の連結壁に後縁を回動可能に連結するとともに、窓孔部分の各上端間に嵌合させて窓孔を開閉可能に閉塞し、且つ、ケース本体内と連通する下端及び一側端開口の皿状をなす取出口を設けてなる有底の蓋体とを備えてなるものが知られている。
【０００３】
【発明が解決しようとする課題】
本発明はこの様な粒状物ケースに於いて、非使用時には安定した閉蓋状態を維持でき、使用の際には簡単な操作で開蓋することがてきるとともに、確実に開蓋状態を維持でき、また、その構造も簡単な優れた粒状物ケースを提案するものである。
【０００４】
【課題を解決するための手段】
上記課題を解決するための第１の手段として、以下の通り構成した。即ち、一対の側壁４周縁部間を帯状連結壁５で連結して内部を粒状物収納部Ａとするとともに、頂部の連結壁５部分に帯状の窓孔６を穿設してなるケース本体２と、窓孔６後縁部の連結壁５に後縁を回動可能に連結するとともに、窓孔６部分の各側壁４上端間に嵌合させて窓孔６を開閉可能に閉塞し、且つ、ケース本体内と連通する下端及び一側端開口の皿状をなす取出口７を側部に設けてなる有底の蓋体３とを備え、蓋体３より垂設した弾性板14の側面下部に突設した摺動突起15を、ケース本体側壁４に形成した案内溝16に摺動上昇可能に嵌合させた粒状物ケースであって、閉蓋状態の摺動突起15の垂下位置に対応した下端部より上方へ蛇行状に上昇し、上端部を摺動突起15の仮想回動軌跡上に位置させた案内溝16を設けて、閉蓋状態及び開蓋状態で弾性板14の変形がなく、開蓋途中で摺動突起15を介して弾性板の変形が生じる如く形成し、且つ、開蓋状態で取出口７の開口状態を維持可能に構成した。
【０００５】
また、第２の手段として、以下の通り構成した。一対の側壁４周縁部間を帯状連結壁５で連結して内部を粒状物収納部Ａとするとともに、頂部の連結壁５部分に帯状の窓孔６を穿設し、且つ、側壁４上部に取出口7aを穿設してなるケース本体２と、窓孔６後縁部の連結壁５に後縁を回動可能に連結するとともに、窓孔６部分の各側壁４上端間に嵌合させて窓孔６を開閉可能に閉塞し、且つ、取出口7aに離脱可能に嵌合する係合突起19を側面より突設した有底の蓋体３とを備え、蓋体３より垂設した弾性板14の側面下部に突設した摺動突起15を、ケース本体側壁４に形成した案内溝16に摺動上昇可能に嵌合させた粒状物ケースであって、閉蓋状態の摺動突起15の垂下位置に対応した下端部より上方へ蛇行状に上昇し、上端部を摺動突起15の仮想回動軌跡上に位置させた案内溝16を設けて、閉蓋状態及び開蓋状態で弾性板14の変形がなく、開蓋途中で摺動突起15を介して弾性板の変形が生じる如く形成し、且つ、開蓋状態で取出口7aの開口状態を維持可能に構成するとともに、開蓋状態で係合突起19縁部がケース本体上面に係合する如く構成した。
【０００６】
【発明の実施の形態】
以下、本発明の実施例の形態を図面を参照して説明する。
【０００７】
図１乃至図４は本発明の粒状物ケース１の一実施例を示し、該ケースは、ケース本体２と、蓋体３とを備えている。
【０００８】
ケース本体２は、一対の側壁４周縁部間を帯状連結壁５で連結して内部を粒状物収納部Ａとするとともに、頂部の連結壁５部分に帯状の窓孔６を穿設している。本実施例では、側壁４は縦長長方形状をなし、下方二隅にアールを形成し、また、上方二隅は傾斜辺としている。そして、比較的幅の狭い連結壁５により連結して、全体として薄幅で中空直方体形状のケース本体２を形成している。また、窓孔６は前部の傾斜辺下端から上辺を介して後部の傾斜辺下端の下方までの連結壁５部分に帯状に形成している。
【０００９】
蓋体３は、窓孔６後縁部の連結壁５に後縁を回動可能に連結するとともに、窓孔６部分の各側壁４上端間に嵌合させて窓孔６を開閉可能に閉塞し、且つ、ケース本体内と連通する下端及び一側端開口の皿状をなす取出口７を側部に設けた有底のものである。
【００１０】
本実施例に於けるケース１は、ケース本体２と蓋体３とを、蓋体を１８０°程度開いた状態（図示せず）で合成樹脂により一体に成形することができるものであり、窓孔６後縁部の連結壁５に後縁を薄肉ヒンジ８を介して回動可能に連設したアーチ状の頂板９の縁部より側板10を延設して窓孔６部分の側壁４上端間に嵌合させるとともに、前面に横三角柱状に突設した指掛け部11両側を窓孔６前端両側の各側壁４上に突出係止させて窓孔６を開閉可能に閉塞している。また、取出口７は側部前端部に設け、下端面及び右側面を開口した皿状をなしており、具体的には頂板９の前部と、頂板前部下面より垂設した前後を区画する区画板12と、部分的な左側板10とで構成しており、また、取出口７以外の部分の右側板10下端縁より底板13を延設しており、一体成形する関係で取出口部分以外の左側板は形成していない。そして、図２に示す如く蓋体３を開いた際に、取出口７がケース本体２内と連通しつつケース本体２上方に開口する如く構成している。
【００１１】
本発明では、蓋体３より垂設した弾性板14の側面下部に突設した摺動突起15を、ケース本体側壁４に形成した案内溝16に摺動上昇可能に嵌合させている。弾性板14は前後方向に弾性変形が可能なものが採用でき、本実施例では、開蓋した際に開いてしまう窓孔６の前部部分を覆う遮蔽板17を設け、該遮蔽板17の側部に並列して形成している。弾性板14は、案内溝の形態から生じる弾性変形量を考慮して、細幅で薄肉に形成しているが、遮蔽板を兼ねた弾性板を蓋体前部下面から垂設することも可能である。尚、遮蔽板17は開蓋する際に連結壁等に当たらないように垂設することが好ましい。
【００１２】
案内溝16は閉蓋状態及び開蓋状態で弾性板14の変形がなく、開蓋途中で摺動突起15を介して弾性板14に変形を生じさせる形状としている。具体的には、案内溝16の下端部を閉蓋状態の摺動突起15の垂下位置に対応した位置に設け、摺動突起15が最下降状態では弾性板14に負荷が掛からずに変形のない安定した状態となる如く構成しており、また、案内溝16の上端部は摺動突起の仮想回動軌跡上に設け、摺動突起15が最上昇状態では同様に弾性板14に負荷が掛からずに変形のない安定した状態となる如く構成している。ここで言う仮想回動軌跡とは、蓋体３とケース本体２との回動連結部（薄肉ヒンジ11）を中心として、閉蓋状態の摺動突起15垂下位置から所定角度蓋体３を回動させた際の摺動突起15の回動軌跡を言い、図３に示す如き、円ａを中心としてした曲線上に存在する。更に、案内溝16の中間部は上記した仮想回動軌跡から外れた位置に存在させて弾性板が変形する如く構成している。
【００１３】
案内溝16の具体的形状は上記条件を備えていれば種々選択できるが、本実施例では、縦長蛇行状の案内溝を設けており、開蓋状態に於ける摺動突起15の垂下位置に対応する下端部より上方へ蛇行状に延設した案内溝16を設けている。尚、本実施例に於ける案内溝16は、ケース本体側壁４を貫通する切溝状になっているが、これに限られず、側壁内面に設けた凹溝状に形成しても良い。但し、凹溝状の場合にはケース本体と蓋体とを一体に成形することが困難となる。また、切溝状の案内溝を設けた本実施例の場合には、案内溝が外部に露出するが、例えば図１に２点鎖線で示す如く、ラベル18を貼着する等によりカバーできる。
【００１４】
上記の如く構成した粒状物ケース１は、例えば、図１の状態から指掛け部11を押し上げて蓋体３を開くと、摺動突起15が案内溝16に案内されてその上端まで上昇して取出口７が開く。開蓋途中では摺動突起15が蛇行状に案内溝を摺動して弾性板14の弾性変形量を変化させてクリック感が得られるとともに、上端部に於いては下端部と同様に弾性板14に変形がなくなり、安定した状態となる。そして、取出口７より収納粒状物を取り出すことができる。尚、開蓋状態から蓋体３が閉じようとしても、案内溝16の最上部の屈曲部分から弾性板に負荷が掛かるため、自重ではそれ以上閉蓋せず、また、蓋体側板とケース本体側壁との摩擦力も働いて開蓋状態を維持し、ひいては開口部７の開蓋状態を維持する。使用後は、蓋体３を強制的に押圧すれば同様に摺動突起15が蛇行状に摺動して蓋体３が閉じ、弾性板14に負荷が掛からない状態の案内溝16下端部まで摺動突起15が移行して安定的な閉蓋状態を維持する。
【００１５】
図５乃至図７は本発明の他の実施例を示すもので、本実施例では、図１の実施例に於いて、上記した取出口７に代えて、ケース本体２の側壁４上部に取出口7aを穿設するとともに、取出口7aに離脱可能に嵌合する係合突起19を蓋体３側面より突設し、且つ、開蓋状態で係合突起19縁部がケース本体２上面に係合する如く構成している。
【００１６】
本実施例に於ける取出口7aは、ケース本体２の側壁４上部の前部位置に円形に形成している。尚、この取出口7aの形状は円形に限らず種々の形状を採用できる。
【００１７】
係合突起19は、取出口７と略同じ大きさをなすドーム状突起であり、開蓋状態では取出口7aに嵌合して閉塞状態を維持し、また、指掛け部11を押し上げて開蓋する際には比較的容易に取出口から外れ、更に、開蓋時にその縁部がケース本体側壁４上面に係合して取出口の開口状態をより確実に維持する如く構成している。尚、係合突起19の形状は、取出口7aの嵌合状態から離脱可能な形状であれば、取出口の形状に応じて種々採用できるが、上記ドーム状突起の如く周縁部がテーパ状に形成してあるものが比較的容易に取出口との嵌合を解除できる点で好ましい。また、本実施例では当然蓋体に取出口は不要であり、アーチ状の頂板９右縁より頂板前後下端縁間を結ぶ底辺を有する右側板10を延設し、右側板10下縁より底板13を延設しており、一体成形する関係で左側板を設けていない。その他の構成及び作用は基本的に図１の実施例と同様であるため説明を省略する。
【００１８】
本実施例の粒状物ケース１は、例えば、図５R>５の状態から指掛け部11を押し上げて蓋体３を開くと、取出口7aから係合突起19が外れるとともに、摺動突起15が案内溝16に案内されてその上端まで上昇して取出口７が開く。この際、係合突起19はケース本体２上面より上方へ移行してその縁部をケース本体２上面に係合し、開口状態を維持する。使用後は、蓋体３を強制的に閉じれば係合突起19の係合が外れて蓋体３を閉じ、係合突起19が取出口７に嵌合するとともに、摺動突起15が弾性板14に負荷が掛からない状態の案内溝16下端部まで移行して安定的な閉蓋状態を維持する。
【００１９】
【発明の効果】
以上説明した如く本発明の粒状物ケースは、既述構成としたことにより、非使用時には安定した閉蓋状態を維持でき、使用の際には簡単な操作で開蓋することができるとともに、確実に開蓋状態を維持できるものである。また、蓋の開閉に当たりクリック感を得られる利点を兼ね備える。
【００２０】
また、第２の手段の粒状物ケースは、開蓋状態で係合突起がケース本体に係合するため、より確実な開蓋状態の維持を行えるものである。
【図面の簡単な説明】
【図１】本発明の一実施例を示す斜視図である。
【図２】同実施例の開蓋状態の斜視図である。
【図３】同実施例の一部切欠側面図である。
【図４】同実施例の蓋体部分の要部斜視図である。
【図５】本発明の他の実施例を示す斜視図である。
【図６】同実施例の開蓋状態の斜視図である。
【図７】同実施例の斜視図である。
【符号の説明】
２…ケース本体，３…蓋体，４…側壁，５…連結壁，６…窓孔，
７，7a…取出口，14…弾性板，15…摺動突起，16…案内溝，
Ａ…粒状物収納部
【図１】
0003822430.tif 000002
【図２】
0003822430.tif 000003
【図３】
0003822430.tif 000004
【図４】
0003822430.tif 000005
【図５】
0003822430.tif 000006
【図６】
0003822430.tif 000007
【図７】
0003822430.tif 000008